(57)【特許請求の範囲】
【請求項１】
便座支持部材を洋風便器に取り付けるための便座支持部材の取付装置であって、
該洋風便器に上下方向に貫設された取付孔に挿通される拡径変形可能な筒状弾性体と、
該筒状弾性体の下端面に当接された当て部材と、
該当て部材を上方に付勢して該筒状弾性体を拡径変形させて該取付孔の内周面に密着させる付勢装置と
を有する便座支持部材の取付装置において、
該付勢装置は、該当て部材に下端が連結され、該筒状弾性体内を挿通された線状体と、該線状体を上方に引張る引張装置とを備えてなることを特徴とする便座支持部材の取付装置。
【請求項２】
請求項１において、前記引張装置はウィンチ又はラッチングソレノイドであることを特徴とする便座支持部材の取付装置。
【発明の詳細な説明】
【０００１】
【発明の属する技術分野】
本発明は便座支持部材を洋風便器に取り付けるための取付装置に関するものであり、特に該便座支持部材が便座ボックス又はロータンクカバーである場合に好適な便座支持部材の取付装置に関するものである。
【０００２】
【従来の技術】
近年、洋風便器に人体臀部を洗浄するための温水洗浄装置を設置することが多くなってきている。
【０００３】
洋風便器に温水洗浄装置を設置する場合、多くの場合、洋風便器の後部上面にロータンクカバーや便座ボックスを設置し、このロータンクカバーや便座ボックス内に温水を噴出するためのノズル及び温水供給機構が組み込まれると共に、更に必要に応じて温風乾燥機構や脱臭機構等が組み込まれる。ロータンクカバーの場合には、このロータンクカバー内にロータンクが設置されている。便座ボックスは、通常、ロータンクの前側に設置されるが、ロータンクが省略される場合もある。
【０００４】
図４（ａ）は、ロータンク付き洋風便器に便座ボックスを設置して洋風便器に温水洗浄装置を取り付けた従来例を示す斜視図であり、この便座ボックス１０は、洋風便器１１の便鉢の後部上面に設置される本体１２と、本体１２から張り出す張出部１３とを有し、この張出部１３の上面にスイッチパネル（銘板）１４が設けられている。
【０００５】
便座ボックス本体１２には、洗浄ノズル１５，１６及び温風乾燥ファン（図示略）等が設けられている。また、この本体１２には、便座１７、便蓋１８が上下方向に回動可能に取り付けられている。１９は洋風便器１１の最後部上面に設置されたロータンクを示す。
【０００６】
張出部上面のスイッチパネル１４には、図４（ｂ）に示す如く、肛門洗浄（シャワー洗浄）、ビデ洗浄、温風乾燥等の作動をストップさせるストップスイッチ２０、肛門洗浄用操作スイッチ（シャワースイッチ）２１、ビデ洗浄用操作スイッチ２２、温風を吹き出させるドライスイッチ２３、洗浄の広がりを調整するためのワイド洗浄入／切スイッチ２４、洗浄位置前進スイッチ２５、その後退スイッチ２６、便座の温度を調整するための便座温度調節スイッチ２７、洗浄強さを調整するダイヤル２８、シャワー等の水温を調整する温水温度調節スイッチ２９等が配置されている。
【０００７】
このような洋風便器にあっては、とくに該洋風便器を男子小用に使用した場合には、便座ボックスの下面と洋風便器との間に尿が侵入し、臭気を発生させる原因となり易い。
【０００８】
そこで、この便座ボックスなどの便座支持部材を洋風便器に着脱可能とし、便座ボックスを取り外して洋風便器上面を入念に清掃できるようにする構造が種々提案されている。
【０００９】
便座支持部材を洋風便器に着脱自在に取り付ける簡便な構造として、実公平２−２５３５７号公報には、拡径変形可能な筒状弾性体を用いた構造が記載されている。
【００１０】
図３は、同号公報の構造を示す断面図であり、陶器製の洋風便器１に上下方向に取付孔２が貫設されている。便蓋３Ａと便座３Ｂとが軸３Ｃによって回動自在に取り付けられた便座支持部材３の下側に弾性材料よりなる敷板４が敷設されている。この敷板４から一体に筒状弾性体５が下方に突設されており、この筒状弾性体５が取付孔２に挿通されている。
【００１１】
便座支持部材３の上方からボルト６が該筒状弾性体５内に挿入されている。このボルト６の先端側は、筒状弾性体５の下端から下方に突出しており、このボルト６の先端側にナット７が螺着されている。
【００１２】
ボルト６を回してナット７を上方に螺進させると、筒状弾性体５が上下方向に押し縮められることにより拡径変形し、該筒状弾性体５が取付孔２の内周面に密着する。これにより、便座支持部材３が洋風便器１に堅固に固定される。
【００１３】
ボルト６を反対方向に回してナット７を下降させると、筒状弾性体５がその弾性によって直筒形状に復帰し、該筒状弾性体５が取付孔２に対し挿抜自在となる。そこで、便座支持部材３を洋風便器１から取り外し、洋風便器１の上面を入念に清掃することが可能となる。清掃終了後は、筒状弾性体５を取付孔２に挿入し、ナット６を締め込んで便座支持部材３を固定する。
【００１４】
【発明が解決しようとする課題】
上記図３の便座支持部材の取付装置にあっては、便座支持部材３を洋風便器１に対し着脱するに際しては、ボルト６を回す必要があるが、このボルト回し作業を行うには工具を用いて前かがみの中腰姿勢をとることになり、作業が面倒である。特に、通常のトイレルームは半坪又はそれ以下の狭いものであると共に、便座支持部材３の近くにロータンクが位置しており、作業しにくい。
【００１５】
本発明は、このような問題点を解決し、便座支持部材の着脱をきわめて容易に行うことができる便座支持部材の取付装置を提供することを目的とする。
【００１６】
【課題を解決するための手段】
本発明の便座支持部材の取付装置は、便座支持部材を洋風便器に取り付けるための便座支持部材の取付装置であって、該洋風便器に上下方向に貫設された取付孔に挿通される拡径変形可能な筒状弾性体と、該筒状弾性体の下端面に当接された当て部材と、該当て部材を上方に付勢して該筒状弾性体を拡径変形させて該取付孔の内周面に密着させる付勢装置とを有する便座支持部材の取付装置において、該付勢装置は、該当て部材に下端が連結され、該筒状弾性体内を挿通された線状体と、該線状体を上方に引張る引張装置とを備えてなることを特徴とするものである。
【００１７】
この引張装置としては、ウィンチ又はラッチングソレノイドが好適である。
【００１８】
かかる便座支持部材の取付装置にあっては、スイッチ操作によってウィンチ、ラッチングソレノイド等の引張装置を作動させ、当て部材を上下させて筒状弾性体の拡径変形あるいは直筒形状への復元を行うことができるので、便座支持部材の着脱がきわめて簡単である。なお、ウィンチやラッチングソレノイドは構造がシンプルで堅牢であり、耐久性に優れると共に安価である。
【００１９】
【発明の実施の形態】
以下、図１，２を参照して実施の形態について説明する。図１，２はそれぞれ実施の形態に係る便座支持部材の取付装置を示す図３と同様部分の断面図である。
【００２０】
図１，２の実施の形態にあっては、洋風便器１に便座ボックス３０が着脱自在に取り付けられている。洋風便器１に上下方向に貫設された取付孔２に筒状弾性体３２が挿通されている。この筒状弾性体３２の上端に設けられたフランジ３３が便座ボックス３０の底面部３１に保持されている。
【００２１】
この筒状弾性体３２の下端面に当て部材３４が当接され、この当て部材３４を上方に引き上げるための線状体としてワイヤ３５が筒状弾性体３２内に挿通されている。ワイヤ３５の下端は留具３６によって当て部材３４に留め付けられている。このワイヤ３５の上端側は、便座ボックス３０の底面部３１を通ってその上方に延出している。
【００２２】
図１の実施の形態にあっては、このワイヤ３５の上端部を巻き取るようにウィンチ３７が設置されている。図２の実施の形態にあっては、ワイヤ３８はガイドプーリ３８に掛けられ、緩衝用スプリング３８を介してラッチングソレノイド３９に接続されている。ウィンチ３７にはトルクリミッタ（図示略）が設けられ、所定トルクに達するとワイヤ３５の巻上げを停止するよう構成されている。
【００２３】
ウィンチ３７、ラッチングソレノイド３９は、それぞれ便座ボックスの張出部等に設けられたロックスイッチ（図示略）を操作することによりワイヤ３５を巻き取るか又は引張るように動作される。ワイヤ３５がウィンチ３７又はラッチングソレノイド４０によって引張られることにより、当て部材３４が引き上げられ、筒状弾性体３２が拡径変形して取付孔２の内周面に密着し、便座ボックス３０が洋風便器１に固定される。
【００２４】
便座ボックスの張出部等に設けられたアンロックスイッチを操作すると、ウィンチ３７がワイヤ３５を所定長さ巻き出すか、又はラッチングソレノイド４０が復動してワイヤ３５が送り出される。
【００２５】
これにより、当て部材３４が下降し、筒状弾性体３２がそれ自身の弾性により直筒形状に復元し、取付孔２に対し挿抜自在となる。そこで、便座ボックス３０を洋風便器１から取り外し、洋風便器１の上面を入念に清掃した後、再度便座ボックス３０を洋風便器１上に載せ、ロックスイッチを操作して該便座ボックス３０を洋風便器１に固定する。
【００２６】
このように、この便座支持部材の取付装置によると、便座ボックスを洋風便器に対しスイッチ操作だけできわめて簡単に着脱することができる。
【００２７】
なお、便座ボックスの下面に洋風便器１の上面の検知手段（例えば光電センサやリミットスイッチ）を設けておき、便座ボックスが洋風便器１上に載置されたことが検知されると自動的にウィンチ３７又はラッチングソレノイド４０がロック動作するよう構成してもよい。
【００２８】
上記実施の形態では、便座ボックス等の便座支持部材を洋風便器に固定しているが、本発明はロータンクカバーを洋風便器に固定する場合にも適用できる。
【００２９】
【発明の効果】
以上の通り、本発明によると便座ボックスを洋風便器に対しきわめて簡単に着脱することができる。
【図面の簡単な説明】
【図１】実施の形態に係る便座支持部材の取付装置を示す断面図である。
【図２】別の実施の形態に係る便座支持部材の取付装置を示す断面図である。
【図３】従来例を示す断面図である。
【図４】便座ボックス付き洋風便器を示す斜視図である。
【符号の説明】
１  洋風便器
２  取付孔
３０  便座ボックス
３１  便座ボックスの底面部
３２  筒状体
３３  フランジ
３４  当て部材
３５  ワイヤ
３７  ウィンチ
４０  ラッチングソレノイド
【図１】
0004211216.tif 000002
【図２】
0004211216.tif 000003
【図３】
0004211216.tif 000004
【図４】
0004211216.tif 000005